(57)【特許請求の範囲】
【請求項１】
ケースに端子板および座金を設け、前記端子板に座金に設けた端子ネジを螺合することにより、端子板と座金との間に配線接続部を挟持して電気的接続を図る端子台において、
前記座金を略矩形板状とし、対向する両側縁に係合部をそれぞれ形成する一方、
前記ケースに、前記座金の係合部を、前記端子ネジの軸心方向に沿ってスライド自在にガイドするガイド部と、前記端子ネジの軸心方向と直交し、前記座金の係合部を位置決めして端子板と座金とを所定間隔で平行な状態に維持するストッパ部とからなる係合受部を形成したことを特徴とする端子台。
【請求項２】
前記ケースに、該ケースの係合受部から前記座金の係合部が脱落することを阻止する脱落阻止部を設けたことを特徴とする請求項１に記載の端子台。
【発明の詳細な説明】
【０００１】
【発明の属する技術分野】
本発明は、端子台、特に、配線に設けた接続端子の接続に適した端子台に関するものである。
【０００２】
【従来の技術】
従来、端子台として次のものが公知である。
【０００３】
例えば、実開平５−５３１３７号公報には、固定側座金に対し、角座金を設けた端子ネジを螺合することにより、固定側座金と角座金との間に外部接続線を挟持して電気的接続を図る端子台が開示されている。
【０００４】
また、特開平９−７６５５号公報には、端子台本体に設けた端子板にネジ脱落防止用金具に設けた端子ネジを螺合することにより、端子板とネジ防止用金具との間に外部配線を挟持して電気的接続を図る端子台が開示されている。
【０００５】
【発明が解決しようとする課題】
しかしながら、前者の端子台では、端子ネジの一部が固定側座金に螺合した状態で外部接続線を接続する必要がある。螺合状態を完全に解除すると、端子ネジの位置が安定しないという問題があり、リング状のタブ端子の接続には適していない。
【０００６】
一方、後者の端子台では、リング状のタブ端子の接続には適しているが、別部材であるネジ脱落防止用金具が必要となり、構造が複雑で、コストアップを招来する。
【０００７】
そこで、本発明は、部品点数を増やすことなく、簡単な構成であっても、的確に種々の接続部を電気的に接続可能とする端子台を提供することを課題とする。
【０００８】
【課題を解決するための手段】
本発明は、前記課題を解決するための手段として、ケースに端子板および座金を設け、前記端子板に座金に設けた端子ネジを螺合することにより、端子板と座金との間に配線接続部を挟持して電気的接続を図る端子台において、前記座金を略矩形板状とし、対向する両側縁に係合部をそれぞれ形成する一方、前記ケースに、前記座金の係合部を、前記端子ネジの軸心方向に沿ってスライド自在にガイドするガイド部と、前記端子ネジの軸心方向と直交し、前記座金の係合部を位置決めして端子板と座金とを所定間隔で平行な状態に維持するストッパ部とからなる係合受部を形成したものである。
【０００９】
そして、この構成により、端子ネジを端子板から脱落させ、係合部を係合受部のガイド部に沿って移動させてストッパ部に位置決めすると、端子台と座金との間に所定の間隙を形成することができる。これにより、この間隙にタブ端子等の接続部を挿入した後、端子ネジを端子板に螺合すれば、接続部を端子板と座金との間に挟持し、電気的接続を図ることが可能となる。
【００１０】
この場合、前記ケースに、該ケースの係合受部から前記座金の係合部が脱落することを阻止する脱落阻止部を一体的に設けると、ケースから端子ネジおよび座金が脱落することを、別部材を必要とすることなく阻止可能となる点で好ましい。
【００１１】
【発明の実施の形態】
以下、本発明に係る実施形態を添付図面に従って説明する。
【００１２】
図１は本実施形態に係る端子台の組立斜視図を示し、図２はその分解斜視図を示す。この端子台は、ケース１に、端子板２、座金３および端子ネジ４を設けた構成である。
【００１３】
ケース１は、幅方向に複数の収容室５を備えている。各収容室５は、上方および側方に開口している。各収容室５の底面には、逃穴６が穿設され、その両側にはスリット７ａ，７ｂ（図４参照）がそれぞれ設けられている。逃穴６は、端子板２の雌ネジ１６に螺合する端子ネジ４との干渉を回避するためのものである。各収容室５を仕切る仕切壁８には第１係合溝９が形成されている。各第１係合溝９は、上下方向に延びるガイド部１０と、その上端で直角方向に延在するストッパ部１１とで構成されている。ガイド部１０の上方側には脱落阻止部１２が位置している。脱落阻止部１２は、仕切壁８の上端に設けた突出部１３を端子板２および座金３の装着後、折り曲げて熱かしめすることによって得られる。第１係合溝９は、仕切壁８の両面で互いに干渉することのないように位置をずらせて２列に形成されている。収容室５の後方壁１４は、仕切壁８を越えて上方に突出している。後方壁１４には、各収容室５毎に、仕切壁８に沿って上下に延びる一対の第２係合溝１５が形成されている。なお、ケース１は合成樹脂を成形加工することにより得られる。
【００１４】
端子板２は、中央部に位置する雌ネジ１６と、対向する両側縁から直角に延びる圧入部１７ａ，１７ｂとを備える。一方の圧入部１７ｂには、下縁中央から下方に端子部１８が突出している。各圧入部１７ａ，１７ｂは、前記ケース１の各スリット７ａ，７ｂに圧入され、端子部１８はケース１の下方に突出する。なお、端子板２は導電性材料をプレス加工することにより得られる。
【００１５】
座金３は、図３に示すように、略矩形板状で、中央部には雌ネジ１９が形成され、その周囲４箇所がプレスされることにより下方に突出する圧接部２０がそれぞれ形成されている。また、座金３の側縁部には、前記ケース１の各第１係合溝９に対応する位置に第１係合突部２１がそれぞれ形成され、各第２係合溝１５に対応する位置に第２係合突部２２がそれぞれ形成されている。
【００１６】
端子ネジ４は、胴部に形成した雄ネジにより前記座金３に脱落しないように組み付けられ、胴部の上端側が座金３の雌ネジ１６に位置することにより回転自在となっている。
【００１７】
前記構成の端子台では、射出成形により形成したケース１に、端子板２、次いで端子ネジ４を組み付けた座金３を装着することにより完成する。端子板２は、その圧入部１７ａ，１７ｂをケース１のスリット７ａ，７ｂに圧入することによりケース１に装着される。座金３は、その係合突部がケース１の各係合溝９，１５に位置するようにケース１に装着されてスライド自在となる。また、座金３は、装着後、ケース１の仕切壁８に形成した突出部１３を折り曲げて熱かしめすることにより脱落を防止される。完成した端子台は、例えば、後方壁１４が上方に向かう横向きで取り付けて使用する。
【００１８】
前記端子台に外部接続線を接続する場合、座金３を収容室５の上方開口側（端子台は横向きで取り付けて使用するので、手前側）にスライド移動させる。そして、座金３の第１係合突部２１を第１係合溝９のガイド部１０からストッパ部１１に移動させる。座金３は、各係合突部２１，２２を各係合溝９，１５によってガイドされている。したがって、座金３は、スライド移動中に回転したり、捻れたりすることなくスムーズに平行移動する。また、座金３は、その第１係合突部２１を第１係合溝９のストッパ部１１に位置決めされ、安定した状態で、端子板２に対して平行となる。これにより、座金３及び端子ネジ４と端子板２との間に所定の間隙を形成することができる。
【００１９】
そこで、収容室５の側方開口（この場合、下方開口）から外部接続線に一体化した配線接続部であるリング状のタブ端子Ａを挿入する。そして、座金３を下方底面側（この場合、奥側）にスライド移動させる。座金３は、第１係合突部２１を第１係合溝９のストッパ部１１に係止されているだけであるので、スライド移動はスムーズに行える。その後、端子ネジ４を端子板２の雌ネジ１６に螺合することにより、端子板２と座金３との間にタブ端子Ａを挟持して電気的接続を図る。
【００２０】
なお、前記実施形態では、座金３に係合突部２１，２２、ケース１に係合溝９，１５をそれぞれ形成するようにしたが、逆に設けるようにしてもよい。
【００２１】
【発明の効果】
以上の説明から明らかなように、本発明に係る端子台によれば、座金に係合部を備え、ケースにガイド部およびストッパ部を備えた係合受部を形成したので、別部材を必要としたり、構造が複雑化してコストアップを招来することがない。そして、端子板から端子ばねを脱落させ、係合部を係合受部のストッパ部に位置させることにより、座金を位置決めし、端子板と座金との間に所定間隔を容易に形成することができる。この結果、リング状のタブ端子等、種々の形態の接続部を端子板と座金との間に挟持し、電気的接続を図ることが可能となる。
【００２２】
また、ケースに脱落阻止部を一体的に設けたので、端子ネジを完全に端子板から除去した状態であっても、別部材を必要とすることなく、座金および端子ネジがケースから脱落することを阻止できる。
【図面の簡単な説明】
【図１】  本実施形態に係る端子台の組立斜視図である。
【図２】  図１の分解斜視図である。
【図３】  図２に示す座金の斜視図である。
【図４】  図１に示すケースの平面図（ａ）及びそのI−I線断面図（ｂ）である。
【符号の説明】
１…ケース
２…端子板
３…座金
４…端子ネジ
５…収容室
８…仕切壁
９…第１係合溝
１０…ガイド部
１１…ストッパ部
１２…脱落阻止部
１５…第２係合溝
２１…第１係合突部
２２…第２係合突部
【図１】
0003687438.tif 000002
【図２】
0003687438.tif 000003
【図３】
0003687438.tif 000004
【図４】
0003687438.tif 000005